(57)【要約】  本発明は、フレームにより支持される、もしくは支持されていない、可視用またはソーラーフロント（２）で構成されるとともに、２つの取替え可能なテンプル（３）を有し、各テンプルが、ラグ（４）及びそれに係合する関節部（５）を介して、フロント（２）またはフレーム（１６）に連結したタイプの眼鏡に関する。本発明は、各テンプル（３）の関節（５）がが、接続されていないテンプルの一端に対応して形成された長手スロットを横断して配されている、少なくとも１つのピンで構成され、上記ピンは、ラグ（４）から由来するスタッド（９，９Ａ）に形成された弾性変形可能な切り欠き部にはめ込み可能になっており、ラグ（４）の形状及び寸法は、テンプル（３）のスロットの形状及び寸法とほぼ一致していることを特徴としている。
2009506366.tif 000002
【特許請求の範囲】
【請求項１】
フレーム（１６）により適宜支持された、可視用または日除け用フロント（２）で構成されるとともに、２つの取替え可能なテンプル（３）を有し、各テンプルが、雄部（４）及びそれに係合するジョイント（５）により、フロント（２）またはフレーム（１６）に連結されたタイプの眼鏡であって、
各テンプルのジョイント（５）は、接続されていない状態のテンプル（３）の一端に対応して形成された長手スロット（７，７Ａ）を横断して配されている、２つのピン（６，６Ａ）で構成され、
ピン（６，６Ａ）は、雄部（４）から突出した２つのプレート（９，９Ａ）に形成された弾性変形可能な凹部（８，８Ａ）に、はめ込み可能になっており、
上記プレートの形状及び寸法は、テンプル（３）のスロット（７，７Ａ）の形状及び寸法と、ほぼ同じになっており、
テンプルを容易に取替えさせるネジなしジョイントを提供するために、雄部（４）のプレート（９，９Ａ）が、テンプル（３）のスロット（７，７Ａ）にスライドすると、ジョイントピン（６，６Ａ）は、テンプル（３）が回転し折り曲げられたときに安定な位置に保持されるように、テンプル（３）を案内するようになっている、眼鏡。
【請求項２】
請求項１に記載の眼鏡であって、
上記ジョイント（５）を形成する２つの横断ピン（６，６Ａ）は、対応する２つの長手スロット（７，７Ａ）内で、互いに１列に並んで配されており、
長手スロット（７，７Ａ）は、双方で平行であり、かつ同一になっており、
上記ピン（６，６Ａ）は、２つの凹部（５，５Ａ）に弾性的にはめ込まれ、凹部（５，５Ａ）は、雄部（４）から突出した２つの案内プレート（９，９Ａ）に、双方で平行になり、かつ同一になるように、形成されているとともに、
上記プレートの形状及び寸法は、テンプル（３）における２つのスロット（７，７Ａ）の形状及び寸法と、ほぼ同じになっており、プレートが、スロット（７，７Ａ）内に、スライドするようになっている、眼鏡。
【請求項３】
請求項２に記載の眼鏡であって、
雄部（４）の案内プレート（９，９Ａ）、及びテンプル（３）の対応するスロット（７，７Ａ）は、直方体であり、その寸法、具体的には、これらそれぞれの厚さ「ｅ」，「ｅ’」は、いわゆる滑りばめを得るといった製作交差で、ほぼ等しい値である、眼鏡。
【請求項４】
請求項１〜３に記載の眼鏡であって、
テンプル（３）のピン（６，６Ａ）とスロット（７，７Ａ）の後端との、雄部（４）の方向の距離「ｄ」は、同じ雄部（４）の凹部（８，８Ａ）と雄部（４）の後部または段部（１０）との距離「ｄ’」よりも小さくなっており、
雄部（４）の凹部（８，８Ａ）がテンプル（３）のピン（６，６Ａ）へ送られ、両者が嵌合したとき、
両者の嵌合のために必要な力（Ｆ）がテンプル（３）にかかり、その後、一旦使用位置になると、テンプル及び雄部が互いに自由に旋回させるために、雄部（４）の段部（１０）が、テンプル（３）のスロット（７，７Ａ）の端部で、支え面（Ｐ）に達するようになっている、眼鏡。
【請求項５】
請求項１〜４に記載の眼鏡であって、
案内プレート（９，９Ａ）は、雄部（４）を形成するほぼ平行６面体形状のブロック（１１）まで延びており、
上記ブロック（１１）は、２つの穴部（１２，１３）により貫通されており、
可視用または日除け用のフロント（２）に直接ブロック（１１）を固定するために、上記２つの穴部は、２つの固定手段（１４）を受けるように設計されている、眼鏡。
【請求項６】
請求項１〜４に記載の眼鏡であって、
案内プレート（９，９Ａ）は、フレーム（１６）と同じプラスチック成形法で製造された雄部（４）から突出している、眼鏡。
【請求項７】
請求項１〜６に記載の眼鏡であって、
テンプル（３）のスロット（７，７Ａ）、及びスロットを通過して延びるジョイントピン（６，６Ａ）は、有利に、上記テンプル（３）と同じプラスチック成形法で製造されている、眼鏡。
【請求項８】
請求項１〜７に記載の眼鏡であって、
雄部（４）の案内プレート（９，９Ａ）に形成された、凹部（８，８Ａ）は、一部が円領域部分で構成され、一部が２つの突起部（１４，１５）で区切られた開口部分で構成されており、
円領域部分は、テンプル（３）における、凹部が連結可能なジョイントピン（６，６Ａ）とほぼ同じ直径になっており、
２つの突起部（１４，１５）は、ジョイントピン（６，６Ａ）の直径よりも小さい距離で離間しており、ピン（６，６Ａ）は、凹部（８，８Ａ）に弾性的にはめ込まれたときに、ロックされる、眼鏡。
【請求項９】
請求項１〜８に記載の眼鏡であって、
テンプル（３）及び雄部（４）は、プラスチックからなっている、眼鏡。
【発明の詳細な説明】
【発明の詳細な説明】
【０００１】
この発明は、フレームにより適宜支持された、可視用(optical) または日除け用(sunshade)フロントで構成されるとともに、２つの取替え可能なテンプルを有し、各テンプルが、雄部(male part) 及びそれに係合するジョイント(associated joint)により、フロントまたはフレームに連結されたタイプの眼鏡に関する。
【０００２】
従来技術において見られるように、一般的に、眼鏡のテンプルに用いられるジョイントピンはネジで構成され、このネジは、ジョイントを形成する関節部(hinge) における、２つの部品(parts) を結合させる。
【０００３】
しかしながら、上記ジョイントのピンを形成するこのネジがしばしば緩み、（この緩みにより、関係するテンプルが紛失してなければ）締め直す必要があることが、眼鏡技師の間で公知の問題になっている。
【０００４】
テンプルを容易に取替え可能にし、使用者が専門家を訪れる必要がなく、使用者自身が交換できることが望まれている場合に、上記の問題は、さらに悪化する。
【０００５】
本発明の目的は、これら問題全てを解決することにある。したがって、本発明は、フレームにより適宜支持された、可視用または日除け用フロントで構成されるとともに、２つの取替え可能なテンプルを有し、各テンプルが、雄部(male part) 及びそれに係合するジョイントにより、フロントまたはフレームに連結されたタイプの眼鏡に関し、各テンプルのジョイントは、接続されていない状態のテンプルの一端に対応して形成された長手スロットを横断して配されている、２つのピンで構成され、ピンは、雄部から突出した２つのプレートに形成された弾性変形可能な凹部に、はめ込み可能になっており、上記プレートの形状及び寸法は、テンプルのスロットの形状及び寸法と、ほぼ同じになっており、テンプルを容易に取替えさせるネジなしジョイントを提供するために、雄部のプレートが、テンプルのスロットにスライドすると、ジョイントピンは、テンプルが回転し折り曲げられたときに安定な位置に保持されるように、テンプルを案内するようになっている。
【０００６】
本発明の眼鏡は、次の多数の利点を一緒に生じさせる。すなわち、緩める動作のためのネジが存在しない；プラスチックでジョイントの各部品を所望の形状に形作ることが可能になり、中間部品が存在しない；簡単な手動操作でテンプルが着脱(fitted and removed)され、道具を必要としない；及びテンプルが無限に取替え可能であるので、使用者は、所望の色及び形状を任意に組み合わせることができる、という多数の利点である。
【０００７】
本発明は、さらに、以下の記載中で述べられた特徴に関するものであり、この特徴は、分離、または任意の技術の組合せ内で考慮されるべきである。
【０００８】
この記載は、限定されない実施例により付与され、添付図面を参照すると、本発明がどのように実施されるかについて、より明確に説明するであろう。
【０００９】
図１は、本発明の第１の実施形態を示し、フレームにより少なくとも部分的に囲まれたフロントで構成され、側部の２つのテンプルがジョイントにより連結された、１つの眼鏡を示す透視図である。
【００１０】
図２は、図１に見られるジョイントを詳細に示した拡大図である。
【００１１】
図３は、フロントの一端及び対応するテンプルに対応するジョイントの領域に穴部を有する眼鏡部分の、一方が他方に結合する前の拡大図である。
【００１２】
図４は、テンプルが雄部に送られ(presented) 、位置にはめ込まれる位置での、図３に見られる眼鏡のジョイントのうち１つの領域を示す。
【００１３】
図５は、テンプルが雄部上の位置にはめ込まれた後の、図４に見られる眼鏡のジョイントのうち１つの領域を示す。
【００１４】
図６は、テンプルが位置にはめ込まれ、テンプルがオープン位置にあるときの、上記の図に基づくジョイントを示す。
【００１５】
図７は、テンプルが位置にはめ込まれ、クローズ位置にある、上記の図に見られるジョイントを示す。
【００１６】
図８は、本発明のジョイントにおける雄部の透視図である。
【００１７】
図９は、図８に見られる雄部の相補的な結合領域を形成するテンプルの一端の透視図である。
【００１８】
図１０は、図８に見られる雄部と図９に見られるテンプルの一端とを備えた、組立られた(assemble)ジョイントの透視図である。
【００１９】
眼鏡（図中、全体的な参照１で付与される）は、フレームにより適宜支持された可視用または日除け用フロント２で構成されているとともに、２つの取替え可能なテンプル３を有し、各テンプルが、雄部(male part) ４及びそれに係合するジョイント５により、フロント２またはフレーム１６に連結されている。
【００２０】
本発明によれば、各テンプル３におけるジョイント５は、少なくとも１つのピン６，６Ａで構成されている。ピン６，６Ａは、接続されていない状態の(free)テンプル３の一端に対応して形成された長手スロット７，７Ａを横断して配されている。また、ピン６，６Ａは、弾性変形可能な凹部８，８Ａにはめ込み可能になっている。凹部８，８Ａは、雄部４から突出したプレート９，９Ａに形成されている。上記プレートの形状及び寸法は、テンプル３のスロット７の形状及び寸法と、ほぼ同じになっている。雄部４のプレート９，９Ａが、テンプル３のスロット７，７Ａにスライドすると、ジョイントピン６，６Ａは、テンプル３が回転し折り曲げられた(folded)ときに安定な位置に保持されるように、テンプル３を案内する。これは、ネジなしジョイントを提供することを目的とするものである。そして、このネジなしジョイントにより、アームの容易な取替えが可能になる。
【００２１】
好ましくは、本実施形態では、各テンプル３のジョイント５は、２つの横断ピン６，６Ａで構成されている。この横断ピン６，６Ａは、対応する２つの長手スロット７，７Ａ内で互いに１列に並んで配されており、長手スロット７，７Ａは、双方で平行であり、かつ同一になっているとともに、テンプル３に形成されている。上記ピン６，６Ａは、２つの凹部５，５Ａに弾性的にはめ込む。この凹部５，５Ａは、雄部４から突出した２つの案内プレート９，９Ａに、双方で平行になり、かつ同一になるように、形成されている。上記プレートの形状及び寸法は、テンプル３における２つのスロット７，７Ａの形状及び寸法と、ほぼ同じになっている。スロット７，７Ａ内に、プレートがスライドする。
【００２２】
一例としてここで用いられる本実施形態の続きとして、雄部４の案内プレート９，９Ａ、及びテンプル３の対応するスロット７，７Ａは、直方体である。そして、その寸法（具体的には、案内プレート９，９Ａ及びスロット７，７Ａそれぞれの厚さ「ｅ」，「ｅ’」）は、いわゆる滑りばめを得るといった製作交差で、ほぼ等しい値である。
【００２３】
図３及び４にて明らかに分かるように、テンプル３のピン６，６Ａとスロット７，７Ａの後端との、雄部４の方向の距離「ｄ」は、同じ雄部４の凹部８，８Ａと雄部４の後部または段部１０との距離「ｄ’」よりも小さくなっている。雄部４の凹部８，８Ａがテンプル３のピンへ送られ(presented) 、両者が嵌合したとき、雄部４の段部１０が、テンプル３のスロット７，７Ａの端部で、支え面Ｐに達する(find)。これは、両者の嵌合のために必要な力Ｆがテンプル３にかかり、その後、一旦使用位置になると、テンプル及び雄部を互いに自由に旋回させる目的がある。
【００２４】
また、本実施形態では、案内プレート９，９Ａは、雄部４を形成するほぼ平行６面体形状のブロック１１まで延びている(continued) 。上記ブロック１１は、２つの穴部１２，１３により貫通されている。そして、可視用または日除け用のフロント２に直接ブロック１１を固定するために、２つの穴部１２，１３は、２つの固定手段１４を受ける(receive) ように設計されている。
【００２５】
この固定手段は、鋲またはねじの形状をとっていてもよい。
【００２６】
図１及び２に示された実施形態では、案内プレート９，９Ａが、フレーム１６と同じプラスチック成形法で製造された雄部４から突出している。
【００２７】
テンプル３のスロット７，７Ａ、及びスロット７，７Ａを通過して延びるジョイントピン６，６Ａは、上記テンプル３と同じプラスチック成形法で製造されていると有利である。
【００２８】
本発明の他の特徴では、雄部４の案内プレート９，９Ａに形成された、凹部８，８Ａは、一部が円領域部分で構成され、一部が２つの突起部１４，１５で区切られた開口部分で構成されている。円領域部分は、テンプル３のジョイントピン６，６Ａとほぼ同じ直径になっており、凹部がジョイントピン６，６Ａに連結可能になっている。また、２つの突起部１４，１５は、ジョイントピン６，６Ａの直径よりも小さい距離で離間している。その結果、ピン６，６Ａは、凹部８，８Ａに、弾性的にはめ込まれたときに、ロックされる。
【００２９】
テンプル３及び雄部４は、プラスチックからなることが有益である。
【００３０】
得られる製造物の素晴らしさから、用いられるプラスチックは、好ましくは、グリルアミド(grilamide) 、特に一般的にはポリアミドファミリーの樹脂(member)である。
【００３１】
したがって、上述の本発明によれば、互いに隣接する部品の摩擦係数について、制御が良好になると同時に、製造コストが大幅に低減する。これらの利点に加え、ジョイントは、ネジを必要とせず、破損したテンプルの取替えが可能であり、さらには、色を混合し、眼鏡を独自のものにし、より区別させるために色を組み合わせることが可能になる。
【００３２】
また、本発明は、雄部４が直接レンズ２に固定された、いわゆるリムレスレンズ２を有する眼鏡に適用することができる。また、雄部４が、上記フレーム１６またはテンプル３とともに直接製造された、フレーム１６を有する眼鏡にも適用することができる。
【図面の簡単な説明】
【００３３】
【図１】本発明の第１の実施形態を示し、フレームにより少なくとも部分的に囲まれたフロントで構成され、側部の２つのテンプルがジョイントにより連結された、１つの眼鏡を示す透視図である。
【図２】図１に見られるジョイントを詳細に示した拡大図である。
【図３】フロントの一端及び対応するテンプルに対応するジョイントの領域に穴部を有する眼鏡部分の、一方が他方に結合する前の拡大図である。
【図４】テンプルが雄部に送られ(presented) 、位置にはめ込まれる位置での、図３に見られる眼鏡のジョイントのうち１つの領域を示す。
【図５】テンプルが雄部上の位置にはめ込まれた後の、図４に見られる眼鏡のジョイントのうち１つの領域を示す。
【図６】テンプルが位置にはめ込まれ、テンプルがオープン位置にあるときの、上記の図に基づくジョイントを示す。
【図７】テンプルが位置にはめ込まれ、クローズ位置にある、上記の図に見られるジョイントを示す。
【図８】本発明のジョイントにおける雄部の透視図である。
【図９】図８に見られる雄部の相補的な結合領域を形成するテンプルの一端の透視図である。
【図１０】図８に見られる雄部と図９に見られるテンプルの一端とを備えた、組立られた(assemble)ジョイントの透視図である。
【図１】
2009506366.tif 000003
【図２】
2009506366.tif 000004
【図３】
2009506366.tif 000005
【図４】
2009506366.tif 000006
【図５】
2009506366.tif 000007
【図６】
2009506366.tif 000008
【図７】
2009506366.tif 000009
【図８】
2009506366.tif 000010
【図９】
2009506366.tif 000011
【図１０】
2009506366.tif 000012
【国際調査報告】
2009506366.tif 000013
2009506366.tif 000014
2009506366.tif 000015
2009506366.tif 000016
2009506366.tif 000017
2009506366.tif 000018